(57)【要約】【課題】電子パスポート中のＩＣチップ部分が不正に取り外されて、別の偽造パスポートに装着されたことが容易に検知できる電子パスポート構造の提供を目的とした。【解決手段】ループアンテナとＩＣチップとを有するＩＣタグを備える電子パスポートであって、表紙あるいは本文中に真贋判定用の所定のパターンを備え、ＩＣチップは、前記パターンを画像情報としてその位置とともにメモリに保持しており、特に、前記パターンを備える電子パスポートの表紙が布材であることを特徴とする電子パスポートである。【選択図】図１
2016057950.tif 000002
【特許請求の範囲】
【請求項１】
ループアンテナとＩＣチップとを有するＩＣタグを備える電子パスポートであって、表紙あるいは本文中に真贋判定用のパターンを備え、ＩＣチップは、前記パターンを画像データとしてその位置とともにメモリに保持していることを特徴とする電子パスポート。
【請求項２】
前記パターンを備える表紙が布材であることを特徴とする請求項1に記載の電子パスポート。
【請求項３】
前記真贋判定用のパターンが複数あって、表紙あるいは本文中に分散して配置されていることを特徴とする請求項１又は請求項２に記載の電子パスポート。
【請求項４】
電子パスポートの所定の部位を撮像して得られる撮像データと、ＩＣチップのメモリに保持された当該所定部位の画像データとを比較して真贋を判定することを特徴とする電子パスポートの検査方法。
【請求項５】
前記所定の部位が、電子パスポートの表紙あるいは本文中に分散して配置されていることを特徴とする請求項４に記載の電子パスポートの検査方法。
【請求項６】
少なくとも、
電子パスポートが内蔵するＩＣタグと通信するためのリーダライタと、
電子パスポートの表紙あるいは本文を撮像するための撮像系と、
ＩＣタグのメモリに保持された画像データをリーダライタを介して読み出し、
撮像系から得られる撮像データと比較照合する制御系と、を有することを特徴とする電子パスポートの検査システム。
【発明の詳細な説明】
【技術分野】
【０００１】
本発明は、ＩＣチップを冊子内部に備えた電子ポスポートの偽造判定を容易にするために電子パスポートが備えるべき構成とその検査方法に関する。特に、冊子外観とＩＣチップの整合性を問題とするものである。
【背景技術】
【０００２】
無線により非接触でＩＣチップに蓄積された情報を読み書きできる小型のＲＦＩＤタグは、入出退管理用のＩＤカード、地下鉄、バス、もしくはフェリー等の交通機関の乗車券、または電子マネー等の決済用のＩＣカードに内蔵されて広範に使用されている。あるいは、市場に流通する種々の商品・物品それ自体やケースの封緘シール用ラベルとして貼付され、万引き防止用、真贋判定用、履歴管理、流通管理、在庫管理、等の用途でも利用されている。
【０００３】
ＲＦＩＤタグ（以下、単にＩＣタグと記す。）それ自体は、図２（ａ）、（ｂ）に部分図として示すように電磁波を送受信するコイル状のループアンテナ５とループアンテナ５につながるＩＣチップ６（又はＩＣモジュール）を薄い基材１０上に配設した非常に簡単な構造であるが、実用的には当該基材１０の表又は裏を保護用シート１２で被覆して使用に供されるのが普通である。
【０００４】
ＩＣカードシステムでは、ＩＣカードにデータの書き込み、あるいは読み出しを行うリーダライタのループアンテナから電磁波が放射される。放射された電磁波は、ＩＣカード内部に設けられたループアンテナで受信される。これにより、ＩＣカードとリーダライタとの間で通信が行なわれるが、エネルギー源として電池を内蔵する必要がないため小型軽量化でき、破壊されない限り半永久的に使用できる。通信周波数は、ループアンテナを小さくできる９００ＭＨｚ帯あるいは２．４５ＧＨｚ、５．８ＧＨｚ帯が使用され、通信可能な距離は、数十ｃｍから数ｍ程度である。
【０００５】
ラベルとして使用する具体的な例は、商品等の在庫・履歴管理のために目立たない部位に貼り付ける場合や、封印用袋、電子機器類の筺体などの折り目や、閉じ部に貼り付けて使用する封緘シールが挙げられる。別の例は、酒、ワイン用の瓶、ジャム、ドレッシング、たれ、スパイスなどの食料用瓶あるいはプラスチック製容器の蓋、栓の周囲に使用される場合である。これらの容器類は、未開栓・未開封であることを示す証拠としてシュリンクフィルムで蓋や栓の一部もしく全部と容器の側面を覆う場合が多い。
【０００６】
カードでもラベルでも駆動用電池が内蔵されておらず、受信した電磁波から必要な電力が取得されるため薄くて軽く且つメンテナンスが不要であるが、電磁波をできるだけ効率良く送受信する必要がある。
【０００７】
こうしたＩＣタグの特長を生かす用途の一つに電子パスポートがあるが、電子パスポートは、所持人に関する個人情報を登録したＩＣタグを所定に部位に備える横８８ｍｍ縦１２５ｍｍの、図２、図３に示す形状の冊子である。単に入出国時の確認用スタンプを押印する頁以外に、入国査証（ビザ）を添付するための頁を備えている。ビザは、それを必要とする国ごとに、入国前に冊子の所定の欄に貼付しておく必要がある。このビザも従来は印刷物を貼付するのがほとんどであったが、その利便性とセキュリティーの高さから電子ビザの採用・転換も図られている。ビザは、国ごとに発行されてパスポートの内側頁に貼付される。
【先行技術文献】
【特許文献】
【０００８】
【特許文献１】特開２００３−２８５５８１号公報
【特許文献２】特開２００２−２２２４００号公報
【発明の概要】
【発明が解決しようとする課題】
【０００９】
しかしながら、ＩＣタグを内蔵する電子パスポートの採用により、所有者の顔画像や指紋がＩＣチップに保存されて検査時に視認・照合が行えるなどセキュリティー性が格段に高まったとはいえ、ＩＣタグが取り外されて他の別のパスポート冊子に組み込まれて不正に使用される危険性がないとは言えない。
【００１０】
そこで、本発明は電子パスポートに内蔵されているＩＣチップが不正に取り外されて、別の偽造されたパスポート冊子に装着されたことが容易に検知できる電子パスポートの外観上の構成とその検査方法と検査システムの提供を目的とした。
【課題を解決するための手段】
【００１１】
上記課題を達成するための請求項1に記載の発明は、ループアンテナとＩＣチップとを有するＩＣタグを備える電子パスポートであって、表紙あるいは本文中に真贋判定用のパターンを備え、ＩＣチップは、前記パターンを画像データとしてその位置とともにメモリに保持していることを特徴とする電子パスポートとしたものである。
【００１２】
上記課題を達成するための請求項２に記載の発明は、前記パターンを備える表紙が布材であることを特徴とする請求項1に記載の電子パスポートとしたものである。
【００１３】
上記課題を達成するための請求項３に記載の発明は、前記真贋判定用のパターンが複数あって、表紙あるいは本文中に分散して配置されていることを特徴とする請求項１又は請求項２に記載の電子パスポートとしたものである。
【００１４】
上記課題を達成するための請求項４に記載の発明は、電子パスポートの所定の部位を撮像して得られる撮像データと、ＩＣチップのメモリに保持された当該所定部位の画像データとを比較して真贋を判定することを特徴とする電子パスポートの検査方法としたものである。
【００１５】
上記課題を達成するための請求項５に記載の発明は、前記所定の部位が、電子パスポートの表紙あるいは本文中に分散して配置されていることを特徴とする請求項４に記載の電子パスポートの検査方法としたものである。
【００１６】
上記課題を達成するために請求項６に記載の発明は、少なくとも、
電子パスポートが内蔵するＩＣタグと通信するためのリーダライタと、
電子パスポートの表紙あるいは本文を撮像するための撮像系と、
ＩＣタグのメモリに保持された画像データをリーダライタを介して読み出し、
撮像系から得られる撮像データと比較照合する制御系と、を有することを特徴とする電子パスポートの検査システムとしたものである。
【発明の効果】
【００１７】
本発明は、冊子構造を有する電子パスポートの所定部位の外観上の特徴を電子データ（画像データ）としてＩＣチップのメモリ内に予め保存しておき、パスポート検査の際に、電子パスポートの同じ部位を撮像して撮像データを取得し、これらのデータ同士を比較照合することで、電子パスポートの冊子部分とＩＣチップ間の整合性を検査することでパスポートの真贋を判定するようにしたものである。
【００１８】
本発明においては電子パスポート冊子内のいずれかの部位の撮像情報を真贋判定用データとしてＩＣチップに保持しており、どこの画像がどれだけの数使われているかを調べて、その通りに冊子を製造することは非常に困難であり、電子パスポートのセキュリティー性を格段に高めることが出来る。
【００１９】
画像情報は同じ全く構成の冊子から事後的ソフト的に選択できるので、個人ごとに異なる外観を呈する冊子を製造する必要がなく、非常に低コストでセキュリティー性を高めることが可能である。
【００２０】
従来のリーダライタシステムに、電子パスポートの撮像システムを付加して、コンピュータに比較照合系を導入するだけで済むので低価格で電子パスポートシステムの構成が可能である。
【図面の簡単な説明】
【００２１】
【図１】電子パスポートの表紙のランダム模様と検査システムを模式的に説明する上面視の図である。
【図２】（ａ）電子パスポート冊子の見開き構造と通信部材の位置を説明するための上面視の図である。（ｂ）電子ビザのループアンテナとＩＣチップの配置態様を示す側面視の図である。
【図３】電子パスポートの表紙を布クロスにした様子を模式的に説明する上面視の図である。
【図４】電子ビザの送信側と受信側からなる通信システムの構成を説明するブロック図である。
【図５】本発明になる電子パスポートの検査方法を説明するフローチャートである。
【発明を実施するための形態】
【００２２】
本発明は、電子パスポートの表紙が有する特殊な模様をパスポートの真贋判定に用いるものであって、この模様を画像データとしてパスポートに内蔵されたＩＣチップに予め保存しておき、パスポート検査時に、ＩＣチップから撮像すべき箇所の位置情報を読み出して同じ部位を撮像し、同時に読み出される保存された画像データと同じかどうかを調べるものである。
【００２３】
パスポート１（旅券）は、図２、図３にその外観を示すようにサイズがＩＳＯで規定されており、縦１２５ｍｍ、横８８ｍｍの複数の織り込み頁（ビザ欄）からなる中央に折り目７を有する見開きタイプの冊子である。図２（ａ）は冊子の内側から、図３は外側から見た正面視外観図である。
【００２４】
最初に国名を示す表紙２（第一表紙）があり、その裏面の第二表紙２ａから本文４に入り、第二表紙２ａと最初の本文４がパスポート主要部であり、それ以降の本文は実質的にビザ欄で、第三表紙２ｂにも重要な文字情報が記載されている。ビザ欄は、入国出国の日時を示すスタンプが押されるか、入国予定の国が発行する入国査証（一般に、入国ビザあるいは単にビザと称される。）が貼付される部分で、ここでもＩＣモジュールを使用した電子ビザが使用される場合がある。
【００２５】
電子パスポート１には、図２（ａ），（ｂ）に示すように電子化された種々の情報が蓄積されたＩＣチップ６と通信用のアンテナ回路５が冊子内の所定の部位に目立たないように内蔵されており、利便性とセキュリティー性が格段に高まっている。特に顔写真や指紋情報が内蔵されて、実際に照合できるのでセキュリティー性が向上している。ＩＣチップ
６が内蔵される位置は図２では表紙２とその裏（第二表紙２ｂ）の間であるが、本文４中のいずれかの頁におかれることもある。
【００２６】
アンテナ５は、一般にループ状をなしており、図２（ａ）に示すように、金属配線が頁内に可能な限り大きな長方形状（概ね５０ｍｍ×８０ｍｍ程度）で２巻き以上に巻かれて敷設されており、リーダライタから放射される電磁波のキャリア周波数（搬送周波数）に、ループアンテナ５とコンデンサー（図示せず）からなる共振回路を共振させることにより電波信号を受信する。
【００２７】
ループアンテナ５と図示しないコンデンサーは、薄いフィルム基材（ＰＥＴ）１０に貼り合わせた銅箔から定法のエッチング法により形成するか、打ち抜いた金属箔を、接着剤を介して紙基材等１０に貼合して製造する。アンテナ５と対で共振回路を構成するコンデンサーは、基材１０の表裏にループアンテナ５を形成する際に同時に対抗する電極パターンを形成しコンデンサーとするのが一般的である。容量の調整は、対抗する電極の面積を調整して行える。
【００２８】
ＩＣチップ６は、基材上に形成されたアンテナの末端の接続用アイランドに図示しない異方性導電フィルム（ＡＣＦ：Anisotropic conductive film）あるいは異方性導電ペースト（ＡＣＰ：Anisotropic conductive paste）を介して接続される。ＩＣチップ６と接続部を保護するために全体が樹脂１１で封止される。
【００２９】
次に、電子パスポートの通信方法の概要について説明する。
図４は、電子パスポートの通信システムの一構成例をブロック図で表わしたものである。システムは、リーダライタシステム２１と、電子ビザ側のＲＦＩＤシステム２０から構成されている。電源供給用のバッテリを有しないバッテリーレス型のＲＦＩＤが用いられている。ＲＦＩＤ側のコンデンサー２７とループアンテナ２６ｂは共振回路を構成し、リーダライタ側のアンテナ２６ａから放射された電磁波を受信し、受信した電磁波を電気信号に変換した後、ＩＣチップ６側で処理する。
【００３０】
リーダライタ２１は、ホストコンピュータ２２、ＤＰＵ（Digital Processing Unit２３）、変調回路２４、復調回路、ループアンテナ２６ａ及び撮像系３３から構成されている。ホストコンピュータ２２は、ＤＰＵ２３を制御して、ＲＦＩＤ側２０のメモリ３１に所定のデータを書き込むか、または、所定のデータを読み出して、リーダライタ側のディスプレイ上に表示する等の機能がある。ＤＰＵは、ＲＦＩＤ側のＩＣチップ６から必要なデータを読み出す。本発明では電子パスポートの真偽判定に必要な画像データとそれらの位置情報も読み出す。
【００３１】
ＤＰＵ２３は、ホストコンピュータ２２からの指令に基づいて、各種制御用のコントロール信号と送信データを生成し変回路２４に供給する。逆に、復調回路２５を介してＩＣチップ６からデータを取得して再生データを生成し、ホストコンピュータ２２に出力する。ホストコンピュータが、種々のデータ処理を行う。
【００３２】
本発明においては、コンピュータ２２は、図１に示すように、これらの情報に従ってリーダライタ２１のスロット２１ａに挿入された電子パスポート１の所定の部位を撮像するように撮像系を制御し、撮像データとＩＣチップ６からの画像データとを比較照合することも行う。変調回路１４、復調回路は、送信データを送信波に重畳して変調し、または、ＩＣチップ６側からの変調波を復調し、ＤＰＵ２３に入力する。ループアンテナ２６ａは、変調信号に対応する電磁波を放射する。
【００３３】
ＲＦＩＤ２０側は、図４の右側に示すように、ループアンテナ２６ｂとコンデンサー２
７からなる共振回路とＩＣチップ６から構成されている。共振回路の共振周波数は、一般にリーダライタ２１側の発振器の発振周波数に対応する値になるように設定され、ループアンテナのインダクタンスとコンデンサー２７の容量から決まる。
【００３４】
ＩＣチップ６には、整流回路３２、変調回路２４、復調回路２５、レギュレータ２９、シーケンサ３０、ハイパスフィルター２８、メモリ３１等が組み込まれている。整流回路３２は、ループアンテナ２６ｂより供給された交流信号を整流平滑化し、正のレベルの電圧を、レギュレータ２９に供給している。レギュレータ２９は、前記電圧を、安定化させ、所定のレベルの直流電圧に変換し、シーケンサ３０、その他の電子回路に電力を供給する機能がある。
【００３５】
整流回路３２につながる変調回路２４は、図示はしないがインピーダンス素子とＦＥＴ（Field Effect Transistor）の直列回路により構成されており、共振回路のコイルを構成するループアンテナ２６ｂと並列に接続されている。ＦＥＴは、シーケンサ３０からの信号に対応してインピーダンス素子がループアンテナ２６ｂに対して並列に挿入された状態、または挿入されない状態にスイッチングする機能がある。これにより、リーダライタ２１側のループアンテナ２６ａに対するＲＦＩＤ２０側の負荷が変化され、受信と送信が切り替えられる。
【００３６】
ハイパスフィルター２８は、コンデンサーと抵抗から構成されるが、整流回路３２により整流平滑された信号に重畳されている高周波成分を抽出して、復調回路２５に供給する機能を有する。復調回路２５は、入力された高周波成分の信号を復調し、シーケンサ３０に出力する。
【００３７】
シーケンサ３０は、ＲＯＭ（Read Only Memory）やＲＡＭ（Random Access Memory）を内部に有しており、復調回路２５より入力された信号（コマンド）をＲＡＭに記憶させ、ＲＯＭに内蔵されているプログラムに従ってこれを解析し、解析された結果に基づいて、必要に応じてメモリ３１に格納されているデータを読み出す。シーケンサ３０はさらに、コマンドに対応するレスポンスを返すためにレスポンス信号を生成し、変調回路２４に供給する機能を有している。
【００３８】
また、シーケンサ３０は、復調回路２５より供給されたコマンドが読み出しコマンドである場合、そのコマンドに対応するデータをメモリから読み出す。シーケンサ３０は、読み出したデータに対応して、ＦＥＴをオン、またはオフする。ＦＥＴがオンされると、インピーダンス素子がループアンテナ２６ｂに並列に接続され、ＦＥＴがオフされると、その並列接続が解除される。その結果、ループアンテナ２６ｂを介して電磁結合しているリーダライタ側のループアンテナ２６ａの負荷回路のインピーダンスが、読み出しデータに対応して変化される。
【００３９】
リーダライタ側のループアンテナ２６ａ端子電圧は、その負荷のインピーダンスの変化に応じて変化する。復調回路２５は、この変化を読み取ることにより、読み出されたデータを復調し、ＤＰＵ２３に出力する機能がある。ＤＰＵ２３は、入力されたデータを適宜処理し、ホストコンピュータ２２に出力する。ホストコンピュータ２２は、ＤＰＵ２３より入力された読み出しデータを処理し、必要な処理と結果等をディスプレイ（図示せず）上に表示する。
【００４０】
本発明では、撮像系３３により撮像された電子パスポート１の所定部位のパターンと、ＩＣチップ６内の当該部位の画像データとの比較照合を行う。今、撮像した撮像データが、ＩＣチップ６から読み取られた画像データと異なればこのパスポートは、外観とＩＣチップの組み合わせに整合がなく矛盾があり偽造と判定される。
【００４１】
真正のパスポートが備えている画像データは、パスポート検査時の撮像の容易さから、図１、図３の枠で示すように表紙２（第一表紙）上にあることが便利で好ましい。しかしながら、撮像できる部位であれば本文内であっても裏面表紙３（第四表紙）上であっても構わない。頁内の位置についてもどこであっても構わないし、範囲も任意である。比較する撮像部位の数も1箇所に限らず、複数箇所であっても構わないし、それが複数ページに跨っても構わない。
【００４２】
撮像箇所９については予めＩＣチップ６内に格納しておく必要がある。頁位置に加え、パスポートの左下を（０，０）として、撮像座標として（ｘ１、ｙ１）〜（ｘ２、ｙ２）などのデータを撮像対象領域情報として保存しておく必要がある。真正パスポートの当該部位の画像データもＩＣチップに保存しておくことは言うまでもない。この処理はパスポートが申請されて作成される際に行われる。同じ冊子体裁であっても、選択する場所はパスポートごとに変更することができる。
【００４３】
電子パスポート１の比較対照用の撮像箇所９が無地であっては好ましくない。何らかの微細なパターンを有しており、遠目には無地に見えるようなのが望ましい。この点からパスポート１の表紙２は、図１に一例を示すように、自然なランダムパターン９ａを有する布材（布クロス）が好ましいといえる。表紙のランダムパターン９ａの画像データが真正電子パスポート固有の情報、いわゆる指紋として用いられる。必ずしも、表紙部分が布クロスである必要がないが、紙印刷の場合も何らかの特長のあるパターンが目立たないように印刷されて埋め込まれている必要がある。
【００４４】
真贋判定用のパターン９ａは、上述の画像的なパターン以外に文字情報であっても構わず、画像データと組み合わせて使用してもよい。遠目には正常な文字に見えても、拡大すれば欠陥があるような文字パターンなども考えられる。このような真贋判定用のパターンを冊子全体に分散して配置しておいても構わない。真贋判定用と一眼で分かるようなパターンは好ましくない。複雑なランダム構造を呈する布クロス製の表紙を含めて比較対照部分全体を偽造して真正の冊子を装い、取り外したＩＣチップを装着して真正品に見せかけることは極めて難しい。
【００４５】
このような撮像対象情報と当該部位の画像データをＩＣチップ６に保持した電子パスポート１のパスポート検査の流れを図５に示し、検査システム１３のハード構成の概要を図１に示した。パスポート検査には、対象となる電子パスポート１、電子パスポート１のＩＣタグと通信するリーダライタ２１、電子パスポート１の表紙あるいは本文頁を撮像する撮像カメラ等の撮像系（図示せず）が必要である。
【００４６】
リーダライタ２１には、先述した通常の機能以外に、ＩＣタグのメモリに保持された画像データを通信機能を介して読み出し、撮像系３３から得られる撮像データとを比較照合するコンピュータ制御系が必要である。
【００４７】
パスポート検査では当然リーダライタ２１のスロット２１ａにパスポートが挿入され通常の処理が行われるが、本発明では同時にパスポート外観もしくは本文中の撮像処理がリーダライタ２１のコンピュータ（ＤＰＵ）の制御下で行われる。
【００４８】
ＲＦＩＤタグの通信方法のところで述べたように、先ず、リーダライタ２１により電子パスポート１に内蔵されたＩＣチップ６のメモリから測定対象領域の位置情報と真正画像データがリーダライタ２１側に読み出され、コンピュータ内に保存される。
【００４９】
次に、位置情報に従ってリーダライタ２１に備わる撮像カメラにより表紙全体あるいは
本文全体が撮像され撮像データが取得される。表紙以外の別の頁も指示にしたがって撮像が必要となる場合がある。撮像データから照合に必要な部位の撮像データが必要な数だけ抽出される。拡大・縮尺などの補正が必要な場合もある。図示しない撮像カメラは、図５に示すようにＩＣタグのリーダライタ２１と一体で構成される必要はなく、ハード的に別構成であっても構わないが制御はリーダライタ２１側のコンピュータによってなされる必要がある。
【００５０】
次に、撮像データと予め保存してある画像データとの比較照合が行われる。比較照合は真正画像データと撮像データを重ね合わせて差分を検出するのが簡便である。差分がなければ冊子本体とＩＣタグの組み合わせが整合しているとみなされる。画像同士の比較照合には差分以外に種々のマッチング技術が適用できる。パスポートは経年変化や汚れ、その他撮像上の誤差を考慮してマッチングしておれば一致と判断する。これだけでは不十分と判断される場合は、さらに別の箇所の比較照合を行って総合的に判定される。判断が不一致であればＩＣチップとパスポート冊子に整合性がなく偽造パスポートと判定される。
【００５１】
以上説明したように、ＩＣチップに保存されたデータの比較に本発明になる撮像情報を加えることによって電子パスポートのセキュリティー性を大幅に向上することができる。
【符号の説明】
【００５２】
１、電子パスポート
２、表紙（第一表紙）
２ａ、第二表紙
２ｂ、第三表紙
３、裏紙（第四表紙）
４、本文
５、ループアンテナ
６、ＩＣチップ
７、折り目
８、ＲＦＩＤ(ＩＣタグ)
９、撮像箇所
９ａ、ランダムパターン
１０、フィルム基材
１１、封止樹脂
１２、保護用シート（兼第二表紙）
１３、検査システム
２０、ＲＦＩＤ
２１、リーダライタ（ＲＷ） 
２１ａ、スロット
２２、ホストコンピュータ
２３、ＤＰＵ
２４、変調回路
２５、復調回路
２６、ループアンテナ
２６ａ、リーダライタ側ループアンテナ
２６ｂ、ＲＤＩＤ側ループアンテナ
２７、コンデンサー
２８、ハイパスフィルター
２９、レギュレータ， 
３０、シーケンサ，
３１、メモリ
３２、整流回路
３３、印刷層
【図４】
2016057950.tif 000003
【図５】
2016057950.tif 000004
【図１】
2016057950.tif 000005
【図２】
2016057950.tif 000006
【図３】
2016057950.tif 000007